(57)【要約】      （修正有）【課題】ドライバがドロップオフ（Ｄｒｏｐ  ｏｆｆ）領域に車両を停止させ、車両から降りると、車両が自律方式（ａｕｔｏｎｏｍｏｕｓ）で空き駐車スペースへ移動して駐車を完了する、自動バレーパーキング支援システム及び方法並びにそのためのインフラストラクチャ及び車両を提供する。【解決手段】自動バレーパーキング支援システムにおいて、インフラストラクチャ１００と車両との通信を利用して、車両がドライバなしで移動し、空いている駐車スペースに自律駐車する。また、インフラストラクチャと車両との通信を利用して、車両がドライバなしで駐車スペースからピックアップ領域へ移動する。【選択図】図８
2020109665.tif 000002
【特許請求の範囲】
【請求項１】
自動バレーパーキングを行うための装置であって、
前記装置は、プロセッサと通信回路を含み、
前記通信回路は、車両から車両情報を受信し、ターゲットポジション及びガイドルートを前記車両へ伝送するように構成され、
前記プロセッサは、
受信された車両情報と格納された駐車場情報に基づいて駐車政策を決定し、前記駐車政策に基づいて前記ターゲットポジション及び前記ガイドルートを決定するように構成される、装置。
【請求項２】
前記車両情報は、
前記車両の識別番号、前記車両の規格、自動バレーパーキングを使用するか否か、一時駐車を使用するか否か、駐車区域、選好駐車スペース、及び駐車標準コードのうちの少なくとも一つを含む、請求項１に記載の装置。
【請求項３】
前記駐車場情報は、
駐車場標準コード、駐車場ＩＤ、駐車スペースに対する情報、駐車場マップ、個別駐車区域コード及び個別駐車政策のうちの少なくとも一つを含む、請求項１に記載の装置。
【請求項４】
前記プロセッサは、
駐車場によって支援される駐車場駐車標準と、前記車両によって支援される車両駐車標準とが同一であるか否かを判断し、前記車両情報及び前記駐車場情報のうちのいずれかに基づいて前記駐車政策を決定する、請求項１に記載の装置。
【請求項５】
前記プロセッサは、
前記駐車場駐車標準と前記車両駐車標準とが同一である場合には、前記車両情報に基づいて前記駐車政策を生成し、
前記駐車場駐車標準と前記車両駐車標準とが同一でない場合には、前記駐車場情報に基づいて前記駐車政策を生成する、請求項４に記載の装置。
【請求項６】
前記プロセッサは、
前記駐車場駐車標準と前記車両駐車標準とが同一でない場合には、前記車両からの確認信号に応答して、前記駐車政策に基づいて前記ターゲットポジション及び前記ガイドルートを決定する、請求項５に記載の装置。
【請求項７】
前記駐車政策は、使用駐車区域に対する情報、一時駐車方式に対する情報、一時駐車を使用するか否かに対する情報、及び選好駐車スペースに対する情報を含む、請求項１に記載の装置。
【請求項８】
前記プロセッサは、
駐車場の駐車スペースの中から前記使用駐車区域に該当する第１候補駐車スペースを決定し、選好駐車形態に基づいて前記第１候補駐車スペースの中から第２候補駐車スペースを前記ターゲットポジションとして決定する、請求項７に記載の装置。
【請求項９】
前記プロセッサは、
前記第２候補駐車スペースの中から、前記車両の現在位置に最も近い第３候補駐車スペースを前記ターゲットポジションとして決定する、請求項８に記載の装置。
【請求項１０】
自動バレーパーキングを支援する車両と通信する装置の自動バレーパーキング方法であって、
前記装置が車両から車両情報を受信するステップと、
前記装置が前記車両情報と格納された駐車場情報に基づいて駐車政策を決定するステップと、
前記装置が前記駐車政策に基づいてターゲットポジション及びガイドルートを決定するステップと、
前記装置が前記ターゲットポジション及び前記ガイドルートを前記車両へ伝送するステップとを含む、自動バレーパーキング方法。
【請求項１１】
前記車両情報は、
前記車両の識別番号、前記車両の規格、自動バレーパーキングを使用するか否か、一時駐車を使用するか否か、駐車区域、選好駐車スペース及び駐車標準コードのうちの少なくとも一つを含む、請求項１０に記載の自動バレーパーキング方法。
【請求項１２】
前記駐車場情報は、
駐車場標準コード、駐車場ＩＤ、駐車スペースに対する情報、駐車場マップ、個別駐車区域コード及び個別駐車政策のうちの少なくとも一つを含む、請求項１０に記載の自動バレーパーキング方法。
【請求項１３】
前記駐車政策を決定するステップは、
前記装置によって支援される駐車場駐車標準と、前記車両によって支援される車両駐車標準とが同一であるか否かを判断するステップと、
前記判断の結果に応じて、前記車両情報及び前記駐車場情報のうちのいずれかに基づいて前記駐車政策を決定するステップとを含む、請求項１０に記載の自動バレーパーキング方法。
【請求項１４】
前記駐車政策を決定するステップは、
前記駐車場駐車標準と前記車両駐車標準とが同じである場合には、前記車両情報に基づいて前記駐車政策を生成するステップと、
前記駐車場駐車標準と前記車両駐車標準とが同一でない場合には、前記駐車場情報に基づいて前記駐車政策を生成するステップとをさらに含む、請求項１３に記載の自動バレーパーキング方法。
【請求項１５】
前記駐車場情報に基づいて前記駐車政策を生成するとき、
前記装置が、前記自動バレーパーキング装置からの確認信号に応答して、前記駐車政策に基づいて前記ターゲットポジション及び前記ガイドルートを決定するステップをさらに含む、請求項１４に記載の自動バレーパーキング方法。
【請求項１６】
前記駐車政策は、使用駐車区域に対する情報、一時駐車方式に対する情報、一時駐車を使用するか否かに対する情報、及び選好駐車スペースに対する情報を含む、請求項１０に記載の自動バレーパーキング方法。
【請求項１７】
前記ターゲットポジションを計算するステップは、
駐車場の駐車スペースの中から前記使用駐車区域に該当する第１候補駐車スペースを決定するステップと、
選好駐車形態に基づいて、前記第１候補駐車スペースの中から第２候補駐車スペースを前記ターゲットポジションとして決定するステップとを含む、請求項１６に記載の自動バレーパーキング方法。
【請求項１８】
前記ターゲットポジションを計算するステップは、
前記第２候補駐車スペースの中から、前記車両の現在位置に最も近い第３候補駐車スペースを前記ターゲットポジションとして決定するステップをさらに含む、請求項１７に記載の自動バレーパーキング方法。
【請求項１９】
請求項１０に記載の自動バレーパーキング方法を実行するための命令を含むプログラムを格納する、コンピュータ可読の非一時的記憶媒体。
【発明の詳細な説明】
【技術分野】
【０００１】
本開示は、自動バレーパーキング支援システム及び方法、並びにそのためのインフラストラクチャ及び車両に関する。本開示によれば、インフラストラクチャと車両との通信を利用して、車両がドライバなしで移動し、空いている駐車スペースに自律駐車する。また、本開示によれば、インフラストラクチャと車両との通信を利用して、車両がドライバなしで駐車スペースからピックアップ領域へ移動する。
【背景技術】
【０００２】
現代社会で駐車に関連して直面している社会的なイシューは、非常に多い。まず、駐車場内では、事故が発生する可能性が非常に高い。また、大型マートやデパートなどの施設に駐車をしようとする場合には、駐車のために消費される時間とエネルギーが非常に多い。また、駐車場に進入した場合にも、空いている駐車スペースを見つけるために消費される時間とエネルギーが非常に多い。また、駐車後も、施設の業務を済ませたドライバが、駐車している車両まで移動しなければならない煩わしさがあり、場合によっては、車両が駐車している位置を忘れてしまうことがある。
【発明の概要】
【発明が解決しようとする課題】
【０００３】
本開示は、前述した問題を解決するためのものであり、本開示に係る自動バレーパーキングは、ドライバがドロップオフ（Ｄｒｏｐ  ｏｆｆ）領域に車両を停止させ、車両から降りると、車両が自律方式（ａｕｔｏｎｏｍｏｕｓ）で空き駐車スペースへ移動して駐車を完了する。
【０００４】
また、本開示に係る自動バレーパーキングは、ドライバが呼び出す場合、駐車している車両は自律方式でピックアップ（Ｐｉｃｋ  ｕｐ）領域へ移動し、ドライバはピックアップ領域で車両に搭乗して施設を抜け出していく。
【課題を解決するための手段】
【０００５】
本開示の実施形態に係る自動バレーパーキングを行うための装置は、プロセッサと通信回路を含み、前記通信回路は、車両から車両情報を受信し、ターゲットポジション及びガイドルートを前記車両へ伝送するように構成され、前記プロセッサは、受信された車両情報と格納された駐車場情報に基づいて駐車政策を決定し、前記駐車政策に基づいて前記ターゲットポジション及び前記ガイドルートを決定するように構成される。
【０００６】
本開示の実施形態に係る自動バレーパーキングを行う方法は、インフラストラクチャが車両から車両情報を受信するステップと、前記インフラストラクチャが前記車両情報と格納された駐車場情報に基づいて駐車政策を決定するステップと、前記インフラストラクチャが前記駐車政策に基づいてターゲットポジション及びガイドルートを決定するステップと、前記インフラストラクチャが前記ターゲットポジション及び前記ガイドルートを前記車両へ伝送するステップとを含む。
【０００７】
本開示の実施形態に係る自動バレーパーキングを行う方法を実行するための命令を含むプログラムは、コンピュータ可読の非一時的記憶媒体に格納される。
【図面の簡単な説明】
【０００８】
【図１】本開示の実施形態に係る自動バレーパーキングシステムを示す図である。
【図２】本開示の実施形態に係る自動バレーパーキング装置を示す図である。
【図３】本開示の実施形態に係る自動バレーパーキングシステム及び方法を説明するための概念図である。
【図４ａ】本開示に係る自動バレーパーキングを行うインフラストラクチャ及び車両が行う動作を説明するためのブロック図である。
【図４ｂ】本開示に係る自動バレーパーキングを行うインフラストラクチャ及び車両が行う動作を説明するためのブロック図である。
【図５】本開示に係る自動バレーパーキングを行うインフラストラクチャと車両との通信を説明するための図である。
【図６】本開示に係る自動バレーパーキングを行うインフラストラクチャと車両との通信を説明するための図である。
【図７】本開示に係る自動バレーパーキングを行うインフラストラクチャと車両との通信を説明するための図である。
【図８】本開示の実施形態に係る自動バレーパーキングシステムのデータフローを示す。
【図９】本開示の実施形態に係る駐車政策を決定するための過程を示す。
【図１０】本開示の実施形態に係るインフラストラクチャの作動方法を示すフローチャートである。
【発明を実施するための形態】
【０００９】
以下、添付図面を参照して本開示に係る実施形態を詳細に説明する。本開示の構成及びそれによる作用効果は以下の詳細な説明から明確に理解されるだろう。本開示の詳細な説明に先立ち、同一の構成要素については、他の図面上に表示されても、できる限り同一の符号で表示し、公知の構成については、本開示の要旨を曖昧にするおそれがあると判断された場合に具体的な説明を省略することとする。
【００１０】
本開示の具体的な説明に先立ち、本開示で使用される用語は、次のとおり定義できる。
【００１１】
ドライバ（Ｄｒｉｖｅｒ）は、車両を利用する人間であって、自動バレーパーキングシステムのサービスを受ける人間である。
【００１２】
運転権限（Ｄｒｉｖｉｎｇ  ａｕｔｈｏｒｉｔｙ）は、車両の動作を実行させるための権限である。車両の動作は、例えば、ステアリング動作、加速動作、ブレーキング動作、ギア変速動作、車両の始動をオン／オフにする動作、車両のドアをロック／ロック解除する動作を含む。
【００１３】
車両は、自動バレーパーキングを行う機能を有する車両である。
【００１４】
コントロールセンターは、駐車施設内にある車両のモニタリングを行う施設であって、ターゲットポジション、ガイドルート、許可運転領域を決定し、車両が運転開始命令又は緊急停止命令を伝送するようにすることができる。
【００１５】
インフラストラクチャ（ｉｎｆｒａｓｔｒｕｃｔｕｒｅ）は、駐車施設であってもよく、駐車施設内に配置されたセンサであってもよい。また、インフラストラクチャは、駐車ゲート、車両を制御するコントロールセンターを指すこともある。
【００１６】
ターゲットポジションは、車両が駐車する空き駐車スペースを指す。また、ターゲットポジションは、車両が駐車場から外れる状況では、ドライバが搭乗する領域、すなわちピックアップ領域を指すこともある。
【００１７】
ガイドルートは、車両がターゲットポジションに到達するために通過するルートを指す。例えば、駐車が実行される状況では、ドロップオフ領域から空きスペースまでのルートである。例えば、ガイドルートは、５０ｍ前進やコーナーでの左回転などの形式であってもよい。
【００１８】
運転ルート（ｄｒｉｖｉｎｇ  ｒｏｕｔｅ）は、車両が追従するルートを指す。
【００１９】
許可運転領域（ｐｅｒｍｉｔｔｅｄ  ｄｒｉｖｉｎｇ  ａｒｅａ）は、運転が許された領域、例えば、駐車場内での運転経路を指す。許可運転領域は、隔壁、駐車した車両、駐車ラインによって定義することができる。
【００２０】
図１は本開示の実施形態に係る自動バレーパーキングシステムを示す。図１を参照すると、自動バレーパーキングシステム１０は、インフラストラクチャ１００及び自動バレーパーキング装置２００を含むことができる。
【００２１】
インフラストラクチャ１００は、前述したように、自動バレーパーキングシステムを運営、管理及び実行するための装置又はシステムを意味することができる。例えば、インフラストラクチャ１００は駐車施設であってもよい。実施形態によって、インフラストラクチャ１００は、センサ、通信装置、警報装置、表示装置、及び前述した装置を制御するサーバを含むことができる。また、インフラストラクチャは、駐車ゲート、車両を制御するコントロールセンターを指すこともある。
【００２２】
インフラストラクチャ１００は、通信を行うための通信回路と、判断及び演算を行うためのプロセッサとを含むことができる。実施形態によって、インフラストラクチャ１００は、周辺環境を検知するためのセンサをさらに含むことができる。本明細書で説明されるインフラストラクチャ１００による判断及び演算は、インフラストラクチャ１００に含まれているプロセッサによって行われ得る。
【００２３】
自動バレーパーキング装置２００は、自動バレーパーキングを行う車両を意味することができる。実施形態によって、自動バレーパーキング装置２００は、自動バレーパーキングを行うことができる車両に含まれる構成要素又は構成要素の集合を意味することができる。
【００２４】
図２は本開示の実施形態に係る自動バレーパーキング装置を示す。図２を参照すると、自動バレーパーキング装置（例えば、車両２００）は、センサ２１０、通信回路２２０、プロセッサ２３０及び車両コントローラ（ｖｅｈｉｃｌｅ  ｃｏｎｔｒｏｌｌｅｒ）２４０を含むことができる。
【００２５】
センサ２１０は、自動バレーパーキング装置２００の周囲の環境を検出することができる。実施形態によって、センサ２１０は、自動バレーパーキング装置２００と特定の物体との距離を測定するか、或いは自動バレーパーキング装置２００の周囲の物体を検出することができる。例えば、センサ２１０は、超音波センサ、レーダーセンサ、ライダーセンサ、カメラ、赤外線センサ、熱感知センサ及びミリ波センサのうちの少なくとも一つを含むことができる。
【００２６】
センサ２１０は、検知結果に基づいて生成されたデータを通信回路２２０又は車両コントローラ２４０へ伝送することができる。
【００２７】
通信回路２２０は、インフラストラクチャ１００とデータをやり取りすることができる。このような通信は、車両対インフラストラクチャ（Ｖ２Ｉ：Ｖｅｈｉｃｌｅ  ｔｏ  Ｉｎｆｒａ）通信と呼ばれる。また、通信回路２２０は、他の車両とデータをやり取りすることができる。このような通信は、車両対車両（Ｖ２Ｖ：Ｖｅｈｉｃｌｅ  ｔｏ  Ｖｅｈｉｃｌｅ）通信と呼ばれる。また、Ｖ２Ｉ通信及びＶ２Ｖ通信を統合してＶ２Ｘ（Ｖｅｈｉｃｌｅ  ｔｏ  ｅｖｅｒｙｔｈｉｎｇ）通信と呼ばれる。実施形態によって、通信回路２２０は、インフラストラクチャ１００から伝送されたデータ（例えば、ターゲットポジション、ガイドルート、運転ルート又は命令など）を受信し、受信したデータを処理してプロセッサ２３０へ伝達することができる。また、通信回路２２０は、車両２００から生成されたデータをインフラストラクチャ１００へ伝送することができる。実施形態によって、通信回路２２０は車両２００のドライバの端末とデータをやり取りすることができる。
【００２８】
通信回路２２０は、無線通信プロトコル又は有線通信プロトコルを用いてデータを伝送又は受信することができる。例えば、前記無線通信プロトコルは、無線ＬＡＮ（Ｗｉｒｅｌｅｓｓ  ＬＡＮ：ＷＬＡＮ）、ＤＬＮＡ（Ｄｉｇｉｔａｌ  Ｌｉｖｉｎｇ  Ｎｅｔｗｏｒｋ  Ａｌｌｉａｎｃｅ）、Ｗｉｂｒｏ（Ｗｉｒｅｌｅｓｓ  Ｂｒｏａｄｂａｎｄ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＣＤＭＡ２０００（Ｃｏｄｅ  Ｄｉｖｉｓｉｏｎ  Ｍｕｌｔｉ  Ａｃｃｅｓｓ  ２０００）、ＥＶ−ＤＯ（Ｅｎｈａｎｃｅｄ  Ｖｏｉｃｅ−Ｄａｔａ  Ｏｐｔｉｍｉｚｅｄ  ｏｒ  Ｅｎｈａｎｃｅｄ  Ｖｏｉｃｅ−Ｄａｔａ  Ｏｎｌｙ）、ＷＣＤＭＡ（Ｗｉｄｅｂａｎｄ  ＣＤＭＡ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＩＥＥＥ８０２．１６、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）、ブロードバンド無線移動通信サービス（Ｗｉｒｅｌｅｓｓ  Ｍｏｂｉｌｅ  Ｂｒｏａｄｂａｎｄ  Ｓｅｒｖｉｃｅ：ＷＭＢＳ）、ブルートゥース（Ｂｌｕｅｔｏｏｔｈ）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）、ＵＷＢ（Ｕｌｔｒａ−Ｗｉｄｅｂａｎｄ）、ジグビー（ＺｉｇＢｅｅ）、近距離無線通信（Ｎｅａｒ  Ｆｉｅｌｄ  Ｃｏｍｍｕｎｉｃａｔｉｏｎ：ＮＦＣ）、超音波通信（Ｕｌｔｒａ  Ｓｏｕｎｄ  Ｃｏｍｍｕｎｉｃａｔｉｏｎ：ＵＳＣ）、可視光通信（Ｖｉｓｉｂｌｅ  Ｌｉｇｈｔ  Ｃｏｍｍｕｎｉｃａｔｉｏｎ：ＶＬＣ）、ワイファイ（Ｗｉ−Ｆｉ）、ワイファイダイレクト（Ｗｉ−Ｆｉ  Ｄｉｒｅｃｔ）などを含むことができる。また、有線通信プロトコルは、有線ＬＡＮ（Ｌｏｃａｌ  Ａｒｅａ  Ｎｅｔｗｏｒｋ）、有線ＷＡＮ（Ｗｉｄｅ  Ａｒｅａ  Ｎｅｔｗｏｒｋ）、電力線通信（Ｐｏｗｅｒ  Ｌｉｎｅ  Ｃｏｍｍｕｎｉｃａｔｉｏｎ：ＰＬＣ）、ＵＳＢ通信、イーサネット（Ｅｔｈｅｒｎｅｔ）、シリアル通信（ｓｅｒｉａｌ  ｃｏｍｍｕｎｉｃａｔｉｏｎ）、光／同軸ケーブルなどを含むことができ、これに制限されるものではなく、他の装置との通信環境を提供することができるプロトコルはいずれも含まれ得る。
【００２９】
プロセッサ２３０は、車両２００の全般的な作動を制御することができる。プロセッサ２３０は、センサ２１０と通信回路２２０を介して伝送されたデータに基づいて車両コントローラ２４０を制御することができる。実施形態によって、プロセッサ２３０は、インフラストラクチャ１００から伝送されたデータに基づいて車両コントローラ２４０を制御するための制御信号を生成し、生成された制御信号を車両コントローラ２４０へ伝送することができる。
【００３０】
すなわち、プロセッサ２３０は、車両２００を制御し、自動バレーパーキングを行うための一連の演算又は判断を行うことができる装置を意味することができる。例えば、プロセッサ２３０は、自動バレーパーキングを行うための命令を含むプログラムが実行されるプロセッサであってもよい。プロセッサ２３０は、ＣＰＵ（ｃｅｎｔｒａｌ  ｐｒｏｃｅｓｓｉｎｇ  ｕｎｉｔ）、ＭＣＵ（ｍｉｃｒｏ  ｃｏｎｔｒｏｌｌｅｒ  ｕｎｉｔ）、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＦＰＧＡ（ｆｉｅｌｄ  ｐｒｏｇｒａｍｍａｂｌｅ  ｇａｔｅ  ａｒｒａｙ）又はＧＰＵ（ｇｒａｐｈｉｃ  ｐｒｏｃｅｓｓｉｎｇ  ｕｎｉｔ）などを含むことができるが、これに限定されるものではない。
【００３１】
車両コントローラ２４０は、プロセッサ２３０の制御に基づいて車両２００を制御することができる。実施形態によって、車両コントローラ２４０は、プロセッサ２３０から伝送された制御信号に応答して車両２００を制御することができる。例えば、車両コントローラ２４０は、車両２００の移動、停止、移動再開始、ステアリング、加速、減速、駐車、点滅、警報などを制御することができる。
【００３２】
すなわち、車両コントローラ２４０は、本明細書で説明される車両２００の作動を制御するための機能を全て行うことができるものと理解されるべきである。例えば、車両コントローラ２４０は、車両２００の駆動装置、制動装置、操舵装置、加速装置、警報装置及び点滅装置を含むことができる。
【００３３】
一方、別の説明がなくても、本明細書で説明される車両２００の作動又は機能は、センサ２１０、通信回路２２０、プロセッサ２３０及び車両コントローラ２４０のうちの少なくとも一つの組み合わせによって適切に行われるものと理解されるべきである。
【００３４】
図３は本開示の実施形態に係る自動バレーパーキングシステム及び方法を説明するための概念図である。
【００３５】
図３を参照すると、（１）において、ドライバは車両を運転して駐車場に進入し、ドロップオフ領域へ車両を移動させる。
【００３６】
（２）において、ドロップオフ領域に到達したドライバは車両から下車し、運転権限はドライバからインフラストラクチャへ伝達される。
【００３７】
（３）において、インフラストラクチャは、駐車場内に存在する複数の駐車スペースの中から空き駐車スペースを検索し、当該車両の駐車に適した空き駐車スペースを決定する。また、インフラストラクチャは、決定された空き駐車スペースまでのガイドルートを決定する。駐車スペース及びガイドルートが決定されると、車両は自律的にガイドルートに沿って走行し、当該駐車スペースの周囲に到達した後、駐車スペースへの自動バレーパーキングを行う。
【００３８】
（４）において、ドライバは、自分の車両の出車を決定し、ピックアップ領域へ移動する。
【００３９】
（５）において、インフラストラクチャは、適正なターゲットポジションを決定する。例えば、適正なターゲットポジションは、ピックアップ領域内に存在する複数の駐車スペースの中でも、空いている駐車スペースであってもよい。また、インフラストラクチャは、決定されたターゲットポジションまでのガイドルートを決定する。ターゲットポジション及びガイドルートが決定されると、車両は、自律的にガイドルートに沿って走行し、当該駐車スペースの周囲に到達した後、駐車スペースへの自動バレーパーキングを行う。
【００４０】
（６）において、ドライバはピックアップ領域に到達し、運転権限はインフラストラクチャからドライバへ伝達される。ドライバは車両を運転して駐車場の出口へ移動する。
【００４１】
図４ａ及び図４ｂは本開示に係る自動バレーパーキングを行うインフラストラクチャ及び車両が行う動作を説明するためのブロック図である。
【００４２】
（１）では、自動バレーパーキングを開始するためのインフラストラクチャ及び車両の動作が説明される。インフラストラクチャは、ドライバ及び車両を認識し、適正なドライバ及び車両であるか否かを決定する。例えば、インフラストラクチャは、ドライバが入力するＩＤ及びパスワードを用いて、当該ドライバが適正なドライバであるか否かを決定する。また、インフラストラクチャは、車両の固有番号を用いて、当該車両が適正な車両であるか否かを決定する。車両は、エンジンのオン／オフを行うことができる。また、車両は、電源のオン／オフを行うことができる。例えば、車両のエンジンはオフになったが、電源がオンになった状態はＡＣＣオン（アクセサリーオン）状態であり得る。車両のエンジンのオン／オフ及び電源のオン／オフは、インフラストラクチャから命令を受信して行うことができ、或いはインフラストラクチャの命令なしに車両が自律的に行うことができる。車両はドアをロック／ロック解除することができる。車両のドアのロック及びロック解除は、インフラストラクチャから命令を受信して行うことができ、或いはインフラストラクチャの命令なしに車両が自律的に行うことができる。車両が自動パーキング段階に進行する場合には、車両のドアをロックすることが好ましい。また、車両の運転権限が車両からインフラストラクチャへ伝達される。運転権限は、車両の動作を実行させるための権限であって、車両の動作は、ステアリング動作、加速動作、ブレーキング動作、ギア変速動作、車両の始動をオン／オフにする動作、車両のドアをロック／ロック解除する動作を含む。車両の権限をインフラストラクチャへ伝達することにより、インフラストラクチャは、車両が自動バレーパーキングを行う途中で、当該車両を完全に制御することができる。これにより、車両の意図せぬ動作が発生する可能性が低くなり、駐車場内の車両事故が防止できる。しかし、場合に応じて、運転権限の一部は車両からインフラストラクチャへ伝達されずに車両に残っていることがあり、或いは、運転権限の一部は車両とインフラストラクチャが共同で保有することがある。例えば、ブレーキング動作は、自動バレーパーキングが行われている状況で非常状況が発生した場合に動作しなければならないものであって、車両が自らＡＤＡＳセンサなどを用いてリスクを検知した場合、インフラストラクチャの制御なしに自らブレーキングを行うことが好ましいためである。また、車両は、車両の内部に人間又は動物が存在するか否かを判断する。本開示に係る自動バレーパーキングの完了後から車両が出車されるまでに相当の時間がかかるので、車両の内部に人間又は動物が存在する場合に発生する可能性のあるリスクを除去するためである。車両の内部に人間又は動物が存在するか否かは、車両に搭載されたセンサを用いて判断することができる。
【００４３】
（２）において、ターゲットポジション、ガイドルート及び運転ルートが決定できる。ターゲットポジション、ガイドルート及び運転ルートの決定は、インフラストラクチャが行うことができる。インフラストラクチャによって決定されたターゲットポジション、ガイドルート及び運転ルートは、インフラストラクチャから車両へ伝達できる。
【００４４】
（３）において、駐車場内で車両の自律走行が行われ得る。車両の自律走行は、車両の移動、停止、移動再開始を含む。車両の自律走行は、インフラストラクチャから車両へ伝送される命令に応じて車両が行うことができる。又は、車両の自律走行は、インフラストラクチャからの命令に依存せず、車両が自律的に行うことができる。車両は、許可運転領域内でガイドルートに沿ってターゲットポジションへ自律的に走行することができる。ドライバがない自律走行の場合、所定の速度未満で走行するように車両が制御できる。このような所定の速度は、インフラストラクチャから車両へ伝達された値であるか、或いは車両に格納された値であり得る。また、車両は、ガイドルートに沿って自律走行する上で与えられたガイドルートから所定の誤差を外れることなく走行するように制御できる。このような所定の誤差は、インフラストラクチャから車両へ伝達された値であるか、或いは車両に格納された値であり得る。また、車両は、ガイドルートに沿って自律走行する上でカーブを行わなければならない場合に、所定の最小回転半径に従うことができる。このような所定の最小回転半径は、インフラストラクチャから車両へ伝達された値であるか、或いは車両に格納された値であり得る。車両は、ガイドルートに沿って自律走行する上で所定の最大加速度を超えないように制御できる。このような所定の最大加速度は、インフラストラクチャから車両へ伝達された値であるか、或いは車両に格納された値であり得る。
【００４５】
（４）において、位置測定が行われ得る。位置測定の対象は、駐車を行っている車両、駐車場内に存在する障害物、又は既に駐車が完了した車両であり得る。インフラストラクチャは、車両又は障害物の位置を測定し、車両の位置をデータベースに格納することができる。インフラストラクチャは、車両又は障害物を識別及び検出し、駐車を行っている複数の車両それぞれの安全性をモニタリングすることができる。また、インフラストラクチャは、ターゲットポジションに到達して駐車を行っている車両の動作をモニタリングし、命令を伝達することができる。車両は自分の位置を測定することができる。車両は、測定された自分の位置をインフラストラクチャへ伝達することができる。車両が測定する自分の位置の誤差は、所定の誤差範囲内にあり、所定の誤差は、インフラストラクチャによって決定された値であり得る。車両は、周辺を検知して、存在する障害物の位置を測定することができ、測定された障害物の位置をインフラストラクチャに伝送することができる。車両とインフラストラクチャとの通信に使用される周波数は、所定の周波数であり得る。
【００４６】
（５）において、自律駐車が行われ得る。自律駐車は、ターゲットポジションの周辺に到達した車両が空き駐車スペースに自律的に駐車することを指す。車両は、自分に搭載された距離センサを用いて、障害物又は周辺に駐車している車両を検知することを用いて自律駐車を行うことができる。車両に搭載された距離センサは、例えば、超音波センサ、レーダーセンサ、ライダーセンサ、カメラを含むことができる。
【００４７】
（６）において、車両の緊急ブレーキが行われる。車両の緊急ブレーキは、インフラストラクチャから伝達される命令に基づいて行うことができ、或いは車両が障害物を検出した場合に自ら行うことができる。インフラストラクチャは、車両の周辺が不安全であると決定する場合、車両に緊急ブレーキを命令することができる。車両が緊急ブレーキを行った後、インフラストラクチャが車両の周辺が安全であると決定する場合、車両に自律走行又は自律駐車の再開始を命令することができる。車両は、障害物を検出した場合、緊急ブレーキを行うことができる。また、車両は、緊急ブレーキの実行をインフラストラクチャに報告することができ、緊急ブレーキの原因となる障害物の種類又は位置をインフラストラクチャに報告することができる。車両が緊急ブレーキを行う場合の減速の大きさは、所定の減速値に従うことができ、所定の減速値は、インフラストラクチャによって決定された値であるか、或いは車両に格納された値であり得る。所定の減速値は、障害物の種類、障害物の位置、当該車両と障害物との距離に応じて決定できる。車両は、インフラストラクチャから自律走行又は自律駐車の再開始命令を受信する場合、自律走行又は自律駐車を再開始することができる。又は、車両は、周辺の障害物が除去されたことを決定する場合、自律走行又は自律駐車を再開始することができる。車両は、自律走行又は自律駐車を再開始すること、周辺の障害物の除去をインフラストラクチャに報告することができる。
【００４８】
（７）において、自動バレーパーキングが終了する。車両が自律走行及び自律駐車を完成させた後、インフラストラクチャは、車両に制御リリース（ｒｅｌｅａｓｅ）命令を伝達する。車両は、インフラストラクチャの命令を受信して、又はインフラストラクチャの命令に依存せずに、エンジンのオン／オフ又は電源のオン／オフを行うことができる。また、車両は、インフラストラクチャの命令を受信して、又はインフラストラクチャの命令に依存せずに車両のドアをロックすることができる。また、車両は、インフラストラクチャの命令を受信して、又はインフラストラクチャの命令に依存せずに、車両のパーキングブレーキを実行することができる。
【００４９】
（８）において、エラー制御が行われ得る。エラー制御は、車両とインフラストラクチャとの通信エラー又は車両の機械的エラーを含む。インフラストラクチャは、車両との通信をモニタリングして、通信エラーが発生するか否かを検出することができる。車両は、インフラストラクチャとの通信をモニタリングして、通信エラーが発生すか否かを検出することができる。車両は、自分に搭載されたセンサを含むアクセサリーの動作状態をモニタリングして、機械的エラーが発生するか否かを検出することができる。車両は、車両の内部に人間又は動物が存在するか否かを検知して、車両の内部に人間又は動物が存在することを決定する場合、緊急ブレーキを行うことができる。車両は、緊急ブレーキを行った後、インフラストラクチャからの命令を受信して自律駐車又は自律走行を再開始することができる。又は、車両は、緊急ブレーキを行った原因が除去されたかを決定し、除去された場合には自律駐車又は自律走行を再開始することができる。
【００５０】
図５は本開示に係る自動バレーパーキングを行うインフラストラクチャと車両との通信を説明するための図である。
【００５１】
（１）において、車両からインフラストラクチャに車両資格情報（ｖｅｈｉｃｌｅ  ｑｕａｌｉｆｉｃａｔｉｏｎ  ｉｎｆｏｒｍａｔｉｏｎ）が伝達できる。車両資格情報には、それぞれの車両を他の車両と区別することができる識別子が含まれる。例えば、車両資格情報は車両の固有ナンバーであってもよい。車両資格情報は、車両が駐車場に進入して自動バレーパーキングが開始するステップ（図４ａの（１）参照）で伝達できる。
【００５２】
（２）において、インフラストラクチャから車両に自動バレーパーキング準備命令が伝達できる。自動バレーパーキング準備命令は、自律走行が開始する前に伝達できる。
【００５３】
（３）において、車両からインフラストラクチャへ車両情報が伝達できる。車両情報は、車両の状態情報、車両の位置情報を含むことができる。車両の状態情報は、車両が走行中であるか、車両が停止した状態であるか、車両が緊急停止した状態であるかを含むことができる。車両情報は、周期的に伝達でき、特定の周波数（例えば、１秒に１回、すなわち１Ｈｚ）で伝達できる。よって、車両情報は、車両とインフラストラクチャとの通信エラーが発生したか否かを決定するパラメータとして利用できる。例えば、通信周波数に応じて予定された時点で車両情報がインフラストラクチャに到達しない場合、インフラストラクチャは、車両とインフラストラクチャとの通信にエラーが発生したことを決定することができる。
【００５４】
（４）において、インフラストラクチャから車両へ車両情報応答が伝達できる。車両情報応答は、（３）での車両情報に対する応答であって、車両情報と同じ周波数で伝達できる。したがって、車両情報応答は、車両とインフラストラクチャとの通信エラーが発生したか否かを決定するパラメータとして利用可能である。例えば、通信周波数に応じて予定された時点で車両情報応答が車両に到達していない場合に、車両は、車両とインフラストラクチャとの通信にエラーが発生したことを決定することができる。
【００５５】
（５）において、インフラストラクチャから車両へターゲットポジション及びガイドルートが伝達できる。ターゲットポジション及びガイドルートの伝達は、自動バレーパーキング開始命令がインフラストラクチャから車両へ伝達される前に或いは伝達された後に行われ得る。
【００５６】
（６）において、インフラストラクチャから車両へ運転バウンダリーが伝達できる。運転バウンダリーは、許可運転領域との境界を標識するランドマーク（例えば、駐車ライン、中央ライン、道路バウンダリーライン）を含むことができる。運転バウンダリーの伝達は、自動バレーパーキング準備命令が伝達された後に行われ得る。このような運転バウンダリーは、駐車場マップ（ｍａｐ）の形でインフラストラクチャから車両へ伝達できる。
【００５７】
（７）において、インフラストラクチャから車両へ自動バレーパーキング開始命令が伝達できる。自動バレーパーキング開始命令の伝達は、ガイドルート及び運転バウンダリーが伝達された後に行われ得る。また、車両の緊急ブレーキが行われた後、車両周辺の安全が確認された後に伝達できる。
【００５８】
（８）において、インフラストラクチャから車両へ緊急ブレーキ命令が伝達できる。
【００５９】
（９）において、インフラストラクチャから車両へ車両制御リリース命令が伝達できる。車両制御リリース命令の伝達は、車両の駐車スペースへの自律駐車が完了した後に行われ得る。
【００６０】
図６は本開示に係る自動バレーパーキングを行うインフラストラクチャ１００と車両２００との通信を説明するための図である。
【００６１】
（１）において、車両２００は、駐車場の通路へ進入して停止位置に停止する。このような停止位置は、駐車場の入り口ゲートであってもよい。車両２００は、インフラストラクチャ１００に、停止位置に到着したことを報告する。（２）において、インフラストラクチャ１００は、当該車両２００の大きさ及び車両２００のナンバーを認証する。（３）において、インフラストラクチャ１００は車両２００に認証ＩＤ要求を伝送し、（４）において、車両２００はインフラストラクチャ１００に認証ＩＤを伝送する。（５）において、インフラストラクチャ１００は、受信した認証ＩＤに基づいて、駐車場進入を承認するか否かを判断する。（６）において、インフラストラクチャ１００は、受信した認証ＩＤに基づいて、当該車両２００の駐車場進入が承認されるか否かを知らせる。例えば、インフラストラクチャ１００は、停止位置の周辺に配置されたモニターを介して承認又は不承認を表示することができる。車両２００のドライバは、駐車場進入が承認された場合に、ドロップオフ領域へ車両２００を移動させる。（７）において、ドライバは、車両２００の始動をオフにして車両２００から下車し、車両２００のドアをロックした後、ドロップオフ領域から外れる。（８）において、車両２００の権限は、車両２００（又はドライバ）からインフラストラクチャ１００へ伝達される。また、（９）において、インフラストラクチャ１００は、ドライバから車両２００の権限を伝達されたことを通知する。このような通知は、移動通信ネットワークを介してドライバのスマート機器へ伝送できる。
【００６２】
図７は本開示に係る自動バレーパーキングを行うインフラストラクチャ１００と車両２００との通信を説明するための図である。
【００６３】
（１）において、インフラストラクチャ１００は、車両２００の始動のオン（ｏｎ）を指示する要求を車両２００へ伝送することができる。（２）において、車両２００は、インフラストラクチャ１００からの要求に応答して、車両２００の始動をオンにすることができる。（３）において、車両２００は、始動をオンにした後に、前記始動のオンの応答をインフラストラクチャ１００へ伝送することができる。（４）において、インフラストラクチャ１００は、自動バレーパーキングの準備を指示する要求を車両２００へ伝送することができる。（５）において、車両２００は、前記自動バレーパーキング準備の要求に応答して、前記自動バレーパーキングが準備されたか（ＯＫ）又は準備されていないか（ＮＧ）を指示する応答をインフラストラクチャ１００へ伝送することができる。（６）において、インフラストラクチャ１００は、同期化要求を車両２００へ伝送することができる。前記同期化要求は、インフラストラクチャ１００の時間と車両２００の時間との同期化を指示する要求であり得る。例えば、前記同期化要求は、インフラストラクチャ１００の時間に関する情報を含むことができる。（７）において、車両２００は、前記同期化要求に応答して同期化を行い、（８）において、前記同期化が完了したことを指示する応答をインフラストラクチャ１００へ伝送することができる。例えば、インフラストラクチャ１００と車両２００との同期化が完了する前まで、複数の同期化要求がインフラストラクチャ１００から車両２００へ伝送できる。（９）において、インフラストラクチャ１００は、駐車場マップ情報を車両２００へ伝送することができる。このような駐車場マップ情報はランドマーク情報を含むことができる。（１０）において、車両２００は、伝送されたランドマーク情報に基づいて車両２００の位置を推定（又は計算）することができ、車両２００は、推定された車両２００の位置をインフラストラクチャ１００へ伝送することができる。（１１）において、インフラストラクチャ１００は、ターゲットポジション（駐車位置）を決定することができる。（１２）において、インフラストラクチャ１００は、許可運転領域についての情報を車両２００へ伝送することができる。例えば、インフラストラクチャ１００は、許可運転領域の境界を車両２００へ伝送することができる。（１３）において、インフラストラクチャ１００は、ガイドルートを車両２００へ伝送することができる。（１４）において、インフラストラクチャ１００は、自動バレーパーキングの開始を指示する命令を車両２００へ伝送することができる。
【００６４】
図８は本開示の実施形態に係る自動バレーパーキングシステムのデータフローを示す。図１乃至図８を参照すると、インフラストラクチャ１００は、駐車場に入場する自動バレーパーキング装置２００を認識することができる（Ｓ１００）。実施形態によって、インフラストラクチャ１００は、自動バレーパーキング装置２００を認識し、自動バレーパーキング装置２００のナンバープレートを識別することができる。
【００６５】
インフラストラクチャ１００は、自動バレーパーキング装置２００の認識に応じて、駐車場信号を自動バレーパーキング装置２００へ伝送することができる（Ｓ１１０）。実施形態によって、インフラストラクチャ１００は、駐車場情報を自動バレーパーキング装置２００へ伝送することができる。
【００６６】
前記駐車場情報は、駐車場標準コード、駐車場ＩＤ、駐車スペースに対する情報、駐車場マップ、個別駐車区域コード及び個別駐車政策を含むことができる。
【００６７】
駐車場標準コードは、インフラストラクチャ１００によって行われる（又は支援される）自動バレーパーキングで使用される標準（以下、「駐車場駐車標準」という）に関する情報を含むことができる。例えば、前記駐車場標準コードは、インフラストラクチャ１００によって行われる自動バレーパーキングの種類又はタイプを意味することができる。
【００６８】
前記駐車スペースに対する情報は、駐車場内の駐車スペースの個数、現在残余駐車スペースの個数及び駐車スペースの識別子を含むことができる。
【００６９】
個別駐車区域コードは、特定の駐車場で使用される駐車区域を示す（又は識別するための）情報を含むことができる。例えば、個別駐車区域コードは、特定の駐車場で使用される第１駐車区域及び第２駐車区域を示す情報を含むことができる。実施形態によって、個別駐車区域コードは、当該駐車場を示す駐車場ＩＤをさらに含むことができる。
【００７０】
前記個別駐車政策は、駐車場で使用される駐車政策を意味し、駐車政策は、自動バレーパーキングを行うときに使用される設定値などを意味することができる。
【００７１】
自動バレーパーキング装置２００は、自動バレーパーキングを使用するか否かを判断することができる（Ｓ１２０）。実施形態によって、自動バレーパーキング装置２００は、格納された設定値を用いて、駐車場に入車する自動バレーパーキング装置２００が自動バレーパーキングを行うか否かを判断することができる。
【００７２】
自動バレーパーキング装置２００は、車両情報をインフラストラクチャ１００へ伝送することができる。実施形態によって、自動バレーパーキング装置２００は、ステップ（Ｓ１００乃至Ｓ１２０）なしに、自ら（又はドライバの制御に基づいて）車両情報をインフラストラクチャ１００へ伝送することができる。
【００７３】
前記車両情報は、車両標準コード、車両番号、自動バレーパーキング使用コード、一時駐車使用コード、使用駐車区域コード、一時駐車スペースコード、及び選好駐車スペースコードを含むことができる。
【００７４】
前記車両標準コードは、自動バレーパーキング装置２００によって行われる（又は支援される）自動バレーパーキングで使用される標準（以下、「車両駐車標準」という）に関する情報を含むことができる。例えば、前記車両標準コードは、自動バレーパーキング装置２００によって行われる自動バレーパーキングの種類又はタイプを意味することができる。
【００７５】
前記自動バレーパーキング使用コードは、自動バレーパーキング装置２００が自動バレーパーキングを使用するか否かを示す情報を含むことができる。
【００７６】
前記使用駐車区域コードは、自動バレーパーキング装置２００によって使用される駐車区域を示す情報を含むことができる。実施形態によって、前記使用駐車区域コードは、共通駐車区域コードと個別駐車区域コードを含むことができる。
【００７７】
共通駐車区域コードは、駐車場の種類を問わずに、共通に使用される駐車区域を示す情報を含むことができる。例えば、共通駐車区域コードは、一般駐車区域、障害者駐車区域、妊婦駐車区域、女性専用駐車区域、シニア駐車区域、緊急駐車区域、軽自動車用駐車区域、エコカー用駐車区域などを示す情報を含む。
【００７８】
前記一時駐車使用コードは、自動バレーパーキング装置２００が一時駐車を使用するか否かを示す情報を含むことができる。前記一時駐車は、駐車場内の指定された駐車区域以外の区域に一時的に駐車をすることを意味する。例えば、使用可能な駐車区域がない場合、自動バレーパーキング装置２００は、所定の領域に一時的に駐車（すなわち、一時駐車）をした後、使用可能な駐車区域が発生すると、前記一定領域から前記駐車場区域に再び駐車をすることができる。
【００７９】
前記一時駐車方式コードは、一時駐車の実行時に、使用される一時駐車方式を示す情報を含むことができる。実施形態によって、前記一時駐車方式コードは、車両の前後に二重駐車をするのか、車両の隣の駐車区域ではないスペースに駐車をするのか、或いは指定された一時駐車区域に駐車をするのかを示すことができる。
【００８０】
前記選好駐車スペースコードは、自動バレーパーキング装置２００によって好まれる駐車スペースに対する情報又は駐車スペースの選好度を含むことができる。例えば、前記先行駐車スペースコードは「左が空いた駐車スペース」又は「右が空いた駐車スペース」に対する情報を含むことができる。自動バレーパーキング装置２００は、複数の駐車スペースがある場合には、前記先行駐車スペースコードに基づいて定められる駐車スペースに自動バレーパーキングを行うことができる。
【００８１】
インフラストラクチャ１００は駐車政策を決定することができる（Ｓ１４０）。実施形態によって、インフラストラクチャ１００は、インフラストラクチャ１００によって支援される駐車場駐車標準と、前記自動バレーパーキング装置によって支援される車両駐車標準とが同じであるか否かを判断し、判断の結果に応じて、前記車両情報及び前記駐車場情報のいずれかに基づいて前記駐車政策を決定することができる。例えば、インフラストラクチャ１００は、車両標準コードと駐車場標準コードとが一致するか否かを判断することにより、車両駐車標準と駐車場駐車標準とが一致するか否かを判断することができる。
【００８２】
すなわち、インフラストラクチャ１００は、自動バレーパーキング装置２００が、現在のインフラストラクチャ１００によって支援される自動バレーパーキングサービスの提供を受けることができるか否かを判断し、判断の結果に応じて駐車政策を決定することができる。
【００８３】
インフラストラクチャ１００は、前記駐車場駐車標準と前記車両駐車標準とが同一である場合には、前記車両情報に基づいて前記駐車政策を生成し、前記駐車場駐車標準と前記車両駐車標準とが同一でない場合には、前記駐車場情報に基づいて前記駐車政策を生成することができる。
【００８４】
インフラストラクチャ１００は、ターゲットポジション及びガイドルートを決定することができる（Ｓ１５０）。実施形態によって、インフラストラクチャ１００は、決定された駐車政策に基づいてターゲットポジション及びガイドルートを決定することができる。
【００８５】
駐車政策が駐車場情報に基づいて生成されたものである場合、インフラストラクチャ１００は、自動バレーパーキング装置２００（又はドライバ）に前記駐車政策に対する確認を要求することができる。
【００８６】
自動バレーパーキング装置２００は、前記要求に対して、前記駐車政策に対する確認を伝送することができ、インフラストラクチャ１００は、前記確認に応答して、前記駐車政策に基づいて前記ターゲットポジション及び前記ガイドルートを決定することができる。
【００８７】
又は、自動バレーパーキング装置２００は、前記要求に対して、前記駐車政策に対する変更要求を伝送することができ、インフラストラクチャ１００は、前記変更要求に応答して駐車政策を再び決定し、新たに決定された駐車政策に対する確認を再度要求することができる。
【００８８】
また、自動バレーパーキング装置２００は、前記要求に対して、自動バレーパーキングの終了を指示する信号をインフラストラクチャ１００へ伝送することができる。
【００８９】
インフラストラクチャ１００は、ターゲットポジション及びガイドルートを自動バレーパーキング装置２００へ伝送することができる（Ｓ１６０）。
【００９０】
自動バレーパーキング装置２００は、ターゲットポジション及びガイドルートに基づいて自動バレーパーキングを行うことができる（Ｓ１７０）。
【００９１】
図９は本開示の実施形態に係る駐車政策を決定するための過程を示す。図１乃至図９を参照すると、駐車政策は、共通駐車区域コードを用いて生成できる。実施形態によって、駐車政策は、共通駐車区域コードを含むことができる（Ｓ２１０）。例えば、インフラストラクチャ１００は、自動バレーパーキング装置２００から伝送された車両情報に含まれている共通駐車区域コードを含む駐車政策を生成することができる。共通駐車区域コードは、一般な駐車区域を示すコードである。
【００９２】
駐車政策は、個別駐車区域コードをさらに用いて生成できる。実施形態によって、駐車政策は、個別駐車区域コードをさらに含むことができる（Ｓ２２０）。例えば、インフラストラクチャ１００は、伝送された車両情報に、インフラストラクチャ１００に対応する駐車場の駐車場ＩＤが含まれている個別駐車区域コードが存在する場合、該当する個別駐車区域コードをさらに含む駐車政策を生成することができる。
【００９３】
個別駐車区域コードは、特定の駐車場で使用される駐車区域を示すコードである。共通駐車区域コードと個別駐車区域コードを包括して使用駐車区域コードと称されることがある。
【００９４】
駐車政策は、一時駐車方式コードをさらに用いて生成できる。実施形態によって、駐車政策は、一時駐車方式コードをさらに含むことができる（Ｓ２３０）。例えば、インフラストラクチャ１００は、車両情報に含まれている一時駐車使用コードが一時駐車を使用することを指示するとき、一時駐車方式コードをさらに含む駐車政策を生成することができる。
【００９５】
駐車政策は、選好駐車スペースコードをさらに用いて生成できる。実施形態によって、駐車政策は選好駐車スペースコードをさらに含むことができる（Ｓ２４０）。例えば、インフラストラクチャ１００は、選好駐車スペースコードをさらに含む駐車政策を生成することができる。
【００９６】
図１０は本開示の実施形態に係るインフラストラクチャの作動方法を示すフローチャートである。具体的には、図１０はインフラストラクチャ１００によるターゲットポジション及びガイドルートの決定を示す。図１乃至図１０を参照すると、インフラストラクチャ１００は、駐車場内の駐車スペースの中から、使用駐車区域に該当する第１候補駐車スペースを決定することができる（Ｓ３００）。すなわち、インフラストラクチャ１００は、駐車場内の駐車スペースの中から、自動バレーパーキング装置２００によって使用できる駐車区域に該当する駐車スペースを決定することができる。
【００９７】
例えば、インフラストラクチャ１００は、使用駐車区域コードに基づいて、駐車スペースの中から、使用駐車区域に該当する第１候補駐車スペースを決定することができる。
【００９８】
インフラストラクチャ１００は、第１候補駐車スペースのうち、選好駐車形態に該当する第２候補駐車スペースを決定することができる（Ｓ３１０）。すなわち、インフラストラクチャ１００は、第１候補駐車スペースの中から、自動バレーパーキング装置２００によって好まれる駐車スペースを決定することができる。
【００９９】
例えば、インフラストラクチャ１００は、選好駐車スペースコードに基づいて、第１候補駐車スペースの中から、自動バレーパーキング装置２００によって好まれる第２候補駐車スペースを決定することができる。
【０１００】
インフラストラクチャ１００は、第２候補駐車スペースの中から、自動バレーパーキング装置２００の現在位置に最も近い第３候補駐車スペースを決定することができる（Ｓ３２０）。例えば、インフラストラクチャ１００は、第２候補駐車スペースの位置と自動バレーパーキング装置２００の現在位置に基づいて第３候補駐車スペースを決定することができる。
【０１０１】
インフラストラクチャ１００は、第３候補駐車スペースをターゲットポジションとして決定することができる（Ｓ３３０）。すなわち、インフラストラクチャ１００は、様々な条件（又は優先順位）に応じて、使用可能な駐車スペースの中から、自動バレーパーキング装置２００に最も適切な駐車スペースをターゲットポジションとして決定することができる。
【０１０２】
一つ以上の例示的な実施形態において、説明した機能は、ハードウェア、ソフトウェア、ファームウェア、又はこれらの任意の組み合わせで実現できる。ソフトウェアで実現される場合、これらの機能は、コンピュータ可読媒体上に一つ以上の命令又はコードとして格納又は伝送できる。コンピュータ可読媒体は、一つの場所から他の場所へのコンピュータプログラムの伝達を容易にする任意の媒体を含む通信媒体及びコンピュータ記憶媒体をすべて含む。記憶媒体は、コンピュータによってアクセス可能な任意の利用可能媒体であり得る。限定ではない例示として、このようなコンピュータ可読媒体は、ＲＡＭ、ＲＯＭ、ＥＥＰＲＯＭ、ＣＤ−ＲＯＭ又は他の光ディスクストレージ、磁気ディスクストレージ又は他の磁気記憶デバイス、又は命令やデータ構造の形で所望のプログラムコードを伝達又は格納するために使用でき、コンピュータによってアクセス可能な任意の他の媒体を含むことができる。また、任意の接続がコンピュータ可読媒体として適切に呼ばれる。例えば、ソフトウェアが同軸ケーブル、光ファイバーケーブル、ツイストペアケーブル、デジタル加入者回線（ＤＳＬ）、又は赤外線、ラジオ及び超高周波などの無線技術を利用してウェブサイト、サーバ又は他のリモートソースから伝送される場合、同軸ケーブル、光ファイバーケーブル、ツイストペアケーブル、ＤＳＬ、又は赤外線、ラジオ及び超高周波などの無線技術が媒体の定義に含まれる。ここで使用されたディスク（ｄｉｓｋ及びｄｉｓｃ）は、コンパクトディスク（ＣＤ）、レーザーディスク、光ディスク、デジタル多用途ディスク（ＤＶＤ）、フロッピーディスク、及びブルーレイディスクを含み、ディスク（ｄｉｓｋ）は、通常、データを磁気的に再生するのに対し、ディスク（ｄｉｓｃ）は、データをレーザによって光学的に再生する。これらの組み合わせも、コンピュータ可読媒体の範囲内に含まれるべきである。
【０１０３】
実施形態がプログラムコード又はコードセグメントで実現されるとき、コードセグメントは、プロシージャ、関数、サブプログラム、プログラム、ルーチン、サブルーチン、モジュール、ソフトウェアパッケージ、クラス、又は命令、データ構造、又はプログラムステートメントの任意の組み合わせを示すことができるものと認識すべきである。コードセグメントは、情報、データ、引数（ａｒｇｕｍｅｎｔ）、パラメータ又はメモリコンテンツを伝達及び／又は受信することにより、他のコードセグメント又はハードウェア回路に接続できる。情報、引数、パラメータ、データなどは、メモリ共有、メッセージパッシング、トークンパッシング、ネットワーク送信などを含む任意の適当な手段を利用して伝達、発送又は伝送できる。さらに、いくつかの側面から、方法又はアルゴリズムのステップ及び／又は動作は、コンピュータプログラム物に統合できる機械可読媒体及び／又はコンピュータ可読媒体上にコード及び／又は命令のいずれか、又はこれらの任意の組み合わせもしくはセットとして常駐することができる。
【０１０４】
ソフトウェアでの実現において、ここで説明した技術は、ここで説明した機能を行うモジュール（例えば、プロシージャ、関数など）で実現できる。ソフトウェアコードは、メモリユニットに記憶でき、プロセッサによって実行できる。メモリユニットは、プロセッサ内に実現されてもよく、プロセッサの外部に実現されてもよい。この場合、メモリユニットは、公知のように様々な手段によってプロセッサに通信可能に接続できる。
【０１０５】
ハードウェアでの実現において、処理ユニットは、一つ以上の特定用途向け集積回路（ＡＳＩＣ）、デジタル信号プロセッサ（ＤＳＰ）、デジタル信号処理デバイス（ＤＳＰＤ）、プログラム可能論理回路（ＰＬＤ）、フィールドプログラマブルゲートアレイ（ＦＰＧＡ）、プロセッサ、コントローラ、マイクロコントローラ、マイクロプロセッサ、ここで説明した機能を行うように設計された他の電子ユニット、又はこれらの組み合わせ内に実現できる。
【０１０６】
上述したのは、一つ以上の実施形態の実例を含む。もちろん、上述した実施形態を説明する目的でコンポーネント又は方法の可能な全ての組み合わせを記述することができるのではなく、当業者は、様々な実施形態の多くの追加の組み合わせ及び置換が可能であることを認識することができる。したがって、説明した実施形態は、添付された請求の範囲の真意及び範囲内にあるすべての代案、変形及び改造を含むものである。しかも、詳細な説明又は請求の範囲において「含む」という用語が使用される範囲について、このような用語は、使用される時に「構成される」という用語が請求の範囲で過渡的な単語として解釈されるように、「構成される」という用語と同様に包括的なものである。
【０１０７】
ここで使用されたように、「推論する」又は「推論」という用語は、一般に、イベント及び／又はデータによって捕捉される１セットの観測から、システム、環境及び／又はユーザーの状態について判断又は推論するプロセスを指す。推論は、特定の状況又は動作を識別するために用いることができ、或いは、例えば状態に対する確率分布を生成することができる。推論は確率的でありうる。すなわち、データ及びイベントの考察に基づく当該状態に対する確率分布の計算でありうる。推論は、また、１セットのイベント及び／又はデータから上位レベルイベントを構成するために利用される技術を指すこともある。このような推論は、１セットの観測されたイベント及び／又は格納されたイベントデータからの新しいイベント又は動作、イベントが時間において密接に相関するか否か、及びイベントとデータが一つ又は複数のイベント及びデータソースから出るかを推定するようにする。
【０１０８】
さらに、本出願において使用されているように、「コンポーネント」、「モジュール」、「システム」などの用語は、これに限定されるものではないが、コンピュータ関連のエンティティ、例えば、ハードウェア、ファームウェア、ハードウェアとソフトウェアとの組み合わせ、ソフトウェア又は実行中のソフトウェアを含むものとする。例えば、コンポーネントは、プロセッサ上で実行するプロセス、プロセッサ、オブジェクト、実行可能な実行スレッド、プログラム及び／又はコンピュータでありうるが、これらに限定されるものではない。例として、演算デバイス上で駆動するアプリケーション及び演算デバイスの両方がコンポーネントであることもある。一つ以上のコンポーネントがプロセス及び／又は実行スレッド内に常駐してもよく、コンポーネントが一つのコンピュータに集中してもよく、及び／又は２以上のコンピュータの間に分散されてもよい。加えて、これらのコンポーネントは、各種のデータ構造を格納した各種コンピュータ可読媒体から実行されてもよい。コンポーネントは、一つ以上のデータパケット（例えば、ローカルシステム、分散システムの他のコンポーネント、及び／又は信号により他のシステムとインターネットのようなネットワークを介して相互作用するあるコンポーネントからのデータ）を有する信号に従うなど、ローカル及び／又は遠隔処理によって通信をしてもよい。
【図１】
2020109665.tif 000003
【図２】
2020109665.tif 000004
【図３】
2020109665.tif 000005
【図４ａ】
2020109665.tif 000006
【図４ｂ】
2020109665.tif 000007
【図５】
2020109665.tif 000008
【図６】
2020109665.tif 000009
【図７】
2020109665.tif 000010
【図８】
2020109665.tif 000011
【図９】
2020109665.tif 000012
【図１０】
2020109665.tif 000013